(57)【要約】    【課題】    本発明は、レンズ構成や鏡枠構成を複雑にすることなしにビデオカメラに適した広画角のズームレンズを提供することにある。    【解決手段】    本発明のズームレンズは、正の屈折力の第１群と負の屈折力の第２群と正又は負の屈折力の第３群と正の屈折力の第４群からなり、変倍の際第２群と第４群を移動しそのうち第４群を広角端から望遠端にかけ物体側へ単調に移動するようにした。【選択図】            図１
2004163980.tif 000002
【特許請求の範囲】
【請求項１】
物体側より順に、正の屈折力を有する第１群と、負の屈折力を有する第２群と、正または負の屈折力を有する第３群と、正の屈折力を有する第４群からなり、変倍の際、第２群と第４群を移動し、第４群は広角端から望遠端にかけて物体側へ単調に移動し、かつ以下の条件（１），（２）を満足することを特徴とするズームレンズ。
（１）    ０＜ｆ4 ／ｆ1 ＜０．４５
（２）    −１．６＜β4T＜−０．５
但し、ｆ1 は第１群の焦点距離、ｆ4 は第４群の焦点距離、β4Tは第４群の望遠端での倍率である。
【請求項２】
変倍の際に前記第１群と前記第３群とが固定である請求項１のズームレンズ。
【請求項３】
前記第２群を移動してフォーカシングを行う請求項１又は２のズームレンズ。
【発明の詳細な説明】
【技術分野】
【０００１】
本発明はズームレンズに関し、特にビデオカメラに適した広画角のズームレンズに関するものである。
【背景技術】
【０００２】
近年、民生用のビデオカメラ用のズームレンズの従来例としては、例えば、特開昭６２−１７８９１７号公報に記載されているような物体側から正、負、正、正の４群構成で、第２群が変倍作用を有し、又第４群が変倍による像位置の補正とフォーカシングを行うタイプのレンズ系が主流となっている。このタイプのズームレンズの多くは、広角端の画角（２ω）が５０°程度である。又他の従来例として特開平５−７２４７５号あるいは特開平５−１３４１７８号に記載されているレンズ系のように画角が６０°程度のレンズ系も知られている。前者の従来例は第１群の構成を工夫することにより、後者の従来例は絞りを移動することにより、広角化を実現したものである。
【発明の開示】
【発明が解決しようとする課題】
【０００３】
しかしながら、前者の従来例の場合、第１群の構成が複雑であり、第１群のレンズ枚数が多くなってしまう。又、後者の従来例の場合鏡枠構成が複雑になる。
【０００４】
本発明はこのような状況に鑑みてなされたものであり、その目的は、レンズ構成及び鏡枠構成を複雑にすることなしにビデオカメラに適した広画角のズームレンズを提供することである。
【課題を解決するための手段】
【０００５】
前述の従来の４群構成のズームレンズでは、第２群が主として変倍作用を持ち、一方、第４群は変倍に伴う像位置の補正を行い、変倍作用をほとんど持たない。そのため、広角端から望遠端に変倍する際、第４群は一旦物体側に移動した後、像側に移動し、広角端と望遠端でほぼ同じ位置にある。このタイプのズームレンズにおいては、第２群で効率よく変倍するために、第１群の正の屈折力を強くする必要があり、そのため、広角側で第１群を通る軸外光線高が高くなり、広画角化が困難であった。
【０００６】
本発明のズームレンズは、物体側より順に、正の屈折力を有する第１群、負の屈折力を有する第２群、正または負の屈折力を有する第３群、正の屈折力を有する第４群にて構成し、変倍の際、第２群と第４群を移動し、第４群は広角端から望遠端にかけて物体側へ単調に移動し、かつ、以下の条件を満足することを特徴とする広い角面のレンズ系である。
【０００７】
（１）    ０＜ｆ4 ／ｆ1 ＜０．４５
（２）    −１．６＜β4T＜−０．５
但し、ｆ1 は第１群の焦点距離、ｆ4 は第４群の焦点距離、β4Tは第４群の望遠端での倍率である。
【０００８】
本発明のズームレンズは、第４群を広角端から望遠端にかけて物体側へ単調に移動し、第４群に主な変倍作用を持たせている。そのため、第２群での変倍作用を軽減できるので、第１群の屈折力を小さくでき、広画角化が可能となる。さらに、第４群で効率の良い変倍作用を持たせるために、第１群に比べ十分に強い屈折力、及び適切な結像倍率を持たせている。
【０００９】
条件（１）は、第１群と第４群の屈折力の比を規定したものである。条件（１）の上限値の０．４５を越えると、第１群を通る軸外光線高が高くなり、第１群が増大し、広画角化が困難になる。条件（１）の下限値の０を越えると、第２群での変倍の効率が悪くなり、レンズの全長が大きくなる。
【００１０】
条件（２）は、第４群の望遠端での倍率を規定したものである。条件（２）の上限値の−０．５を越えると、第４群での変倍の効率が悪くなり、レンズの全長が大きくなる。条件（２）の下限値の−１．６を越えると、第１群から第３群までの合成の屈折力が過度に強くなり、広角化が困難である。
【００１１】
以上のように本発明では第２群と第４群で効率良く変倍を行うことが出来る。そのため変倍の際に前記第１群と前記第３群は固定にすることが可能であり、機構上望ましい。
【００１２】
本発明のように、広画角のレンズ系であって、特に小さな撮像素子を用いる場合は、被写界深度が深くフォーカシングを行わなくても通常の撮影が可能である。しかし、より近距離まで撮影する場合は、フォーカシングを行なう必要がある。
【００１３】
本発明のズームレンズにおいては、第２群を光軸に沿って移動させてフォーカシングを行なうのが望ましい。本発明のズームレンズでは第２群が比較的結像倍率の絶対値が小さく、第２群でフォーカシングすることに適している。さらに、広角端に対し、望遠端では、第２群は像側へ位置するので、望遠側に於て２群でフォーカシングを行うための間隔が十分確保でき、より近距離まで撮影することに適している。第２群でフォーカシングする場合、下記条件（３）を満足することが好ましい。
【００１４】
（３）    −０．６＜β2T＜０
但し、β2Tは第２群の望遠端での倍率である。
【００１５】
条件（３）の、下限値の−０．６を越えるとフォーカシングの繰り出し量が大きくなり好ましくない。又、上限値の０を越えた場合、第２群の変倍効率が悪くなり、レンズ全長が増大する。
【００１６】
次に、絞りの位置に関して、絞りを第２群と第４群の間に配置し、光軸上に固定することが望ましい。広画角化とレンズ構成及び鏡枠構成の簡素化を両立するためには、絞り位置が重要である。広画角化に際して絞りをほぼ光学系の中心に配置することにより、第１群及び第４群の小型化に有利である。そのため、本発明のレンズ系では、絞りを第２群と第４群の間に配置することが望ましく、さらに、光軸上で、固定とすれば鏡枠構成が複雑になることがない。
【００１７】
次にレンズ系を小型化にするためには、下記条件（４）を満足することが好ましい。
【００１８】
（４）  １．２Ｘβ2T／β2W＜β4T／β4W＜５．６Ｘβ2T／β2W
但し、β2Wは第２群の広角端での倍率、β2Tは第２群の望遠端での倍率、β4Wは第４群の広角端での倍率、β4Tは第４群の望遠端での倍率である。
【００１９】
条件（４）は、第２群と第４群の変倍の分担を定めたものである。条件（４）の下限を越えると、第２群の変倍の分担量が大きくなり、広角側で第１群を通る軸外光線が高くなり第１群の大きさが増大する。上限を越えると、広角側で第４群を通る軸外光線が高くなり第４群の径が大になり大型化する。
【００２０】
又、レンズ系を小型化しかつ性能を確保するためには、次の条件（５），（６），（７）を満足することが好ましい。
【００２１】
（５）    ０＜ｆW ／ｆ1 ＜０．２
（６）    ０．２＜ｆW ／ｆ4 ＜０．７
（７）    −０．２＜ｆ4 ／ｆ3 ＜０．６
但し、ｆW は広角端での全系の焦点距離、ｆ4 は第４群の焦点距離、ｆ3 は第３群の焦点距離である。
【００２２】
条件（５）は、第１群の焦点距離を規定したものである。この条件（５）の上限値の０．２を越えると、第１群の大きさが増大し、広画角化には不利である。条件（５）の下限値の０を越えると、広角側で、負の歪曲収差の補正に不利である。
【００２３】
条件（６）は、第４群の焦点距離を規定したものである。この条件（６）の上限値０．７を越えると、変倍による収差の変動が大きくなる。又条件（６）の下限値の０．２を越えると、第４群の移動量が大きくなり、全長が増大する。
【００２４】
条件（７）は、第３群と第４群の焦点距離の比を規定したものである。条件（７）の上限値の０．６を越えるとバックフォーカスの確保にとって不利であり、光学フィルターなどの配置に不利になる。下限値の−０．２を越えると、第４群での軸上光線が高くなり、大口径化に不利である。
【００２５】
次に、前記の本発明のズームレンズにおいて、第４群に非球面を導入する場合、非球面の位置に応じて以下のようにすることが好ましい。
【００２６】
第４群を物体側から順に、正レンズ、物体側に凸面を向けた負のメニスカスレンズ、正レンズの３枚のレンズで構成し、最も物体側の正レンズが非球面を含む構成の場合は、負のメニスカスレンズが下記条件（８）を満足することが望ましい。
【００２７】
（８）    １．１＜（ｒF ＋ｒR ）／（ｒF −ｒR ）＜４．０
但し、ｒF は第４群の負のメニスカスレンズの物体側の面の曲率半径、ｒR は第４群の負のメニスカスレンズの像側の面の曲率半径である。
【００２８】
前記のように第４群の最も物体側の正レンズに非球面を導入する場合は、非球面により主に球面収差を補正できるので、負レンズは非点収差などの軸外収差の補正に有利な物体側に凸面を向けたメニスカス形状にするのが好ましく、その場合、３枚と簡単な構成とすることができる。条件（８）の下限値の１．１を越えると軸外収差が補正不足となり、上限値の４．０を越えると軸外収差が補正過剰となる。
【００２９】
一方、第４群のもっとも像側の正レンズに非球面を導入する場合は、以下のようにするのが望ましい。つまり、第４群を物体側から順に、正レンズ、両凹負レンズ、正レンズの３枚のレンズで構成し、最も像側の正レンズが非球面を含む構成とし、負レンズが下記条件（９）を満足することが望ましい。
【００３０】
（９）    −０．９＜（ｒF ＋ｒR ）／（ｒF −ｒR ）＜０．９
但し、ｒF は第４群の負レンズの物体側の面の曲率半径、ｒR は第４群の負レンズの像側の面の曲率半径である。
【００３１】
前記のように第４群のもっとも像側の正レンズに非球面を導入する場合は、非球面により、非点収差などの軸外収差の補正の効果が強くなるので、負レンズは、球面収差の補正にも有利な両凹形状にするのが好ましく、この場合も３枚と簡単な構成とすることができる。条件（９）の下限値の−０．９を越えると軸外収差が補正不足となり、上限値の０．９を越えると軸外収差が補正過剰となる。
【００３２】
以上、第４群に非球面を用いる場合について述べたが、第４群以外の群に、非球面を用いても、小型化やレンズ枚数を削減し得ることは言うまでもない。第４群以外で正の屈折力を持つ群に非球面を用いる場合は、この非球面を光軸から離れるにつれて、正の屈折力が弱くなるか、負の屈折力が強くなるような形状とするのがよい。また、負の屈折力を持つ群に非球面を用いる場合は、この非球面を光軸から離れるにつれて、負の屈折力が弱くなるか、正の屈折力が強くなるような形状とするのがよい。
【００３３】
次に、レンズの低価格化のためには、第１群はを１枚の正レンズで構成するとよい。本発明のズームレンズは、広画角であるために、焦点距離が短く、さらに第１群の屈折力が比較的弱いため、第１群で発生する色収差は小さい。そのため、第１群は１枚の正レンズで構成することが可能である。同様の理由により、第３群を１枚の単レンズで構成しても良い。又、第１群あるいは第３群にプラスチックレンズを用いても良い。第１群及び第３群は屈折力が弱いため温度、湿度の変化による焦点位置の変動が小さいので、プラスチックレンズを用いるのに有利である。
【００３４】
尚、本発明のズームレンズにおいてフォーカシングを行う場合は、第２群で行うことが好ましいことはすでに述べたが、それ以外に、レンズ全体を移動させるかあるいは、撮像素子を移動させてフォーカシングを行なってもよい。
【発明の効果】
【００３５】
本発明によれば、４群ズームレンズでレンズ構成および鏡枠構成を複雑にすることなしに広角端の画角が７０°程度であって、変倍比が３乃至４で高性能なビデオカメラに適したレンズ系を実現し得る。
【発明を実施するための最良の形態】
【００３６】
次に本発明のズームレンズの実施の形態を各実施例をもとに説明する。
【００３７】
本発明のズームレンズの実施の形態は、図１乃至図１０に示す実施例のように、物体側より順に、正の屈折力を有する第１群と、負の屈折力を有する第２群と、正又は負の屈折力を有する第３群と、正の屈折力を有する第４群とよりなり、変倍の際に第２群と第４群が夫々図面に示すように移動するものである。又絞りは第２群と第３群又は第３群と第４群の間に配置され光軸上に固定されている。又フォーカシングは、実施例ではすべて第２群の移動により行なわれるが、レンズ系全体を移動させて行なってもよく又撮像素子を移動させて行なってもよい。
【００３８】
尚図面には、第４群の像側に平行平面板が描かれているが、これらは光学フィルター等の光学部材を想定している。
【００３９】
次に各実施例について述べる。下記のデーターは、夫々の実施例を示している。
【００４０】
実施例１
ｆ＝4.80〜8.31〜14.40 ，Ｆ／2.80〜Ｆ／3.13〜Ｆ／4.36
２ω＝70.0°〜41.4°〜24.4°
ｒ1 ＝30.2217           ｄ1 ＝3.2000    ｎ1 ＝1.48749     ν1 ＝70.21 
ｒ2 ＝-404.5108         ｄ2 ＝Ｄ1 （可変）
ｒ3 ＝28.5136           ｄ3 ＝1.0000    ｎ2 ＝1.77250     ν2 ＝49.60 
ｒ4 ＝5.6270            ｄ4 ＝3.9224
ｒ5 ＝-25.7015          ｄ5 ＝1.0000    ｎ3 ＝1.48749     ν3 ＝70.21 
ｒ6 ＝11.1428           ｄ6 ＝2.8000    ｎ4 ＝1.72825     ν4 ＝28.46 
ｒ7 ＝69.3916 （非球面）ｄ7 ＝Ｄ2 （可変）
ｒ8 ＝∞（絞り）        ｄ8 ＝1.0000
ｒ9 ＝13.6604           ｄ9 ＝2.1169    ｎ5 ＝1.69680     ν5 ＝55.53 
ｒ10＝679.9383          ｄ10＝1.0000    ｎ6 ＝1.56732     ν6 ＝42.83 
ｒ11＝12.3125           ｄ11＝Ｄ3 （可変）
ｒ12＝7.6136（非球面）  ｄ12＝3.2850    ｎ7 ＝1.71300     ν7 ＝53.84 
ｒ13＝-113.6101         ｄ13＝0.1500
ｒ14＝22.5870           ｄ14＝0.9866    ｎ8 ＝1.84666     ν8 ＝23.78 
ｒ15＝7.0202            ｄ15＝0.8546
ｒ16＝23.7991           ｄ16＝2.2000    ｎ9 ＝1.77250     ν9 ＝49.60 
ｒ17＝-19.5845          ｄ17＝Ｄ4 （可変）
ｒ18＝∞                ｄ18＝4.0000    ｎ10＝1.51633     ν10＝64.15 
ｒ19＝∞                ｄ19＝1.0000
ｒ20＝∞                ｄ20＝2.1000    ｎ11＝1.51633     ν11＝64.15 
ｒ21＝∞                ｄ21＝4.2200    ｎ12＝1.61700     ν12＝62.80 
ｒ22＝∞                ｄ22＝1.0000
ｒ23＝∞                ｄ23＝0.8000    ｎ13＝1.51633     ν13＝64.15 
ｒ24＝∞                ｄ24＝1.1997
ｒ25＝∞（像面）
非球面係数
（第７面）  Ｐ＝1 ，Ａ4 ＝-1.2573 ×10-4，Ａ6 ＝-4.6430 ×10-6
Ａ8 ＝7.2449×10-8
（第１２面）Ｐ＝1 ，Ａ4 ＝-3.0005 ×10-4，Ａ6 ＝-3.9441 ×10-7
Ａ8 ＝-6.4617 ×10-8
ワイド          スタンダード    テレ
物体距離      ∞              ∞              ∞
Ｄ1           1.53999         8.31778         11.20353
Ｄ2           11.66566        4.88786         2.00212 
Ｄ3           8.25015         5.81382         1.50000 
Ｄ4           1.00000         3.43633         7.75015 
ワイド          スタンダード    テレ
物体距離      200             10              10
Ｄ1           0.99984         3.97914         6.95990 
Ｄ2           12.20580        9.22650         6.24575 
Ｄ3           8.25015         5.81382         1.50000 
Ｄ4           1.00000         3.43633         7.75015 
結像倍率    −0.02197        -0.24014        -0.34722
ＮＡ        −0.00392        -0.03838        -0.03984
ｆ4 ／ｆ1 ＝0.20，β4T＝-0.96 ，β2T＝-0.24 
β4T／β4W＝2.04（β2T／β2W），ｆW ／ｆ1 ＝0.08，ｆW ／ｆ4 ＝0.42
ｆ4 ／ｆ3 ＝0.10，（ｒF ＋ｒR ）／（ｒF −ｒR ）＝1.90
【００４１】
実施例２
ｆ＝4.80〜9.60〜19.20 ，Ｆ／2.80〜Ｆ／3.08〜Ｆ／4.52
２ω＝71.6°〜35.4°〜18.2°
ｒ1 ＝20.6636           ｄ1 ＝4.8000    ｎ1 ＝1.48749     ν1 ＝70.21 
ｒ2 ＝-533.1705         ｄ2 ＝Ｄ1 （可変）
ｒ3 ＝31.7012           ｄ3 ＝1.0000    ｎ2 ＝1.77250     ν2 ＝49.60 
ｒ4 ＝4.7345            ｄ4 ＝4.2362
ｒ5 ＝23.3134           ｄ5 ＝1.0000    ｎ3 ＝1.48749     ν3 ＝70.21 
ｒ6 ＝18.3749           ｄ6 ＝2.8000    ｎ4 ＝1.72825     ν4 ＝28.46 
ｒ7 ＝22.8073 （非球面）ｄ7 ＝Ｄ2 （可変）
ｒ8 ＝∞（絞り）        ｄ8 ＝1.0000
ｒ9 ＝8.6138            ｄ9 ＝1.0000    ｎ5 ＝1.69680     ν5 ＝55.53 
ｒ10＝4.4182            ｄ10＝2.5000    ｎ6 ＝1.56138     ν6 ＝45.19 
ｒ11＝12.2819           ｄ11＝Ｄ3 （可変）
ｒ12＝7.5867（非球面）  ｄ12＝2.9721    ｎ7 ＝1.71300     ν7 ＝53.84 
ｒ13＝-232.4255         ｄ13＝0.1500
ｒ14＝27.2266           ｄ14＝0.9866    ｎ8 ＝1.84666     ν8 ＝23.78 
ｒ15＝7.0388            ｄ15＝1.6607
ｒ16＝20.3880           ｄ16＝2.2000    ｎ9 ＝1.77250     ν9 ＝49.60 
ｒ17＝-20.2739          ｄ17＝Ｄ4 （可変）
ｒ18＝∞                ｄ18＝4.0000    ｎ10＝1.51633     ν10＝64.15 
ｒ19＝∞                ｄ19＝1.0000
ｒ20＝∞                ｄ20＝2.1000    ｎ11＝1.51633     ν11＝64.15 
ｒ21＝∞                ｄ21＝4.2200    ｎ12＝1.61700     ν12＝62.80 
ｒ22＝∞                ｄ22＝1.0000
ｒ23＝∞                ｄ23＝0.8000    ｎ13＝1.51633     ν13＝64.15 
ｒ24＝∞                ｄ24＝1.9798
ｒ25＝∞（像面）
非球面係数
（第７面）  Ｐ＝1 ，Ａ4 ＝-3.3980 ×10-4，Ａ6 ＝-1.8520 ×10-5
Ａ8 ＝-1.7438 ×10-8
（第１２面）Ｐ＝1 ，Ａ4 ＝-2.4947 ×10-4，Ａ6 ＝3.4277×10-8
Ａ8 ＝-7.8226 ×10-8
ワイド          スタンダード    テレ
物体距離      ∞              ∞              ∞
Ｄ1           1.21911         8.77823         12.00073
Ｄ2           12.78374        5.22462         2.00212 
Ｄ3           9.63508         6.89535         1.50000 
Ｄ4           1.00000         3.73973         9.13508 
ワイド          スタンダード    テレ
物体距離      500             500             500 
Ｄ1           0.99998         8.37224         11.43087
Ｄ2           13.00287        5.63060         2.57198 
Ｄ3           9.63508         6.89535         1.50000 
Ｄ4           1.00000         3.73973         9.13508 
ｆ4 ／ｆ1 ＝0.30，β4T＝-1.03 ，β2T＝-0.41 
β4T／β4W＝1.77（β2T／β2W），ｆW ／ｆ1 ＝0.12，ｆW ／ｆ4 ＝0.39
ｆ4 ／ｆ3 ＝0.15，（ｒF ＋ｒR ）／（ｒF −ｒR ）＝1.70
【００４２】
実施例３
ｆ＝4.80〜8.98〜16.80 ，Ｆ／2.80〜Ｆ／3.17〜Ｆ／4.88
２ω＝69.4°〜36.6°〜20.8°
ｒ1 ＝24.6646           ｄ1 ＝1.0000    ｎ1 ＝1.80518     ν1 ＝25.43 
ｒ2 ＝21.7287           ｄ2 ＝1.0000
ｒ3 ＝35.2428           ｄ3 ＝4.0000    ｎ2 ＝1.51633     ν2 ＝64.15 
ｒ4 ＝-57.7414          ｄ4 ＝Ｄ1 （可変）
ｒ5 ＝-127.5440         ｄ5 ＝1.0000    ｎ3 ＝1.77250     ν3 ＝49.60 
ｒ6 ＝4.9939            ｄ6 ＝2.5618
ｒ7 ＝22.8410           ｄ7 ＝2.3000    ｎ4 ＝1.84666     ν4 ＝23.78 
ｒ8 ＝266.9477（非球面）ｄ8 ＝Ｄ2 （可変）
ｒ9 ＝∞（絞り）        ｄ9 ＝1.0000
ｒ10＝8.9364            ｄ10＝1.3000    ｎ5 ＝1.51633     ν5 ＝64.15 
ｒ11＝8.7258            ｄ11＝Ｄ3 （可変）
ｒ12＝7.4998（非球面）  ｄ12＝3.8883    ｎ6 ＝1.67790     ν6 ＝55.33 
ｒ13＝-72.9268          ｄ13＝0.2756
ｒ14＝22.2557           ｄ14＝1.0000    ｎ7 ＝1.84666     ν7 ＝23.78 
ｒ15＝6.7138            ｄ15＝0.8471
ｒ16＝20.1290           ｄ16＝2.2000    ｎ8 ＝1.77250     ν8 ＝49.60 
ｒ17＝-19.1260          ｄ17＝Ｄ4 （可変）
ｒ18＝∞                ｄ18＝4.0000    ｎ9 ＝1.51633     ν9 ＝64.15 
ｒ19＝∞                ｄ19＝1.0000
ｒ20＝∞                ｄ20＝2.1000    ｎ10＝1.51633     ν10＝64.15 
ｒ21＝∞                ｄ21＝4.2200    ｎ11＝1.61700     ν11＝62.80 
ｒ22＝∞                ｄ22＝1.0000
ｒ23＝∞                ｄ23＝0.8000    ｎ12＝1.51633     ν12＝64.15 
ｒ24＝∞                ｄ24＝1.1996
ｒ25＝∞（像面）
非球面係数
（第８面）  Ｐ＝1 ，Ａ4 ＝-3.2539 ×10-4，Ａ6 ＝-1.2741 ×10-5
Ａ8 ＝-1.7372 ×10-7
（第１２面）Ｐ＝1 ，Ａ4 ＝-3.0986 ×10-4，Ａ6 ＝-4.4168 ×10-7
Ａ8 ＝-7.4818 ×10-8
ワイド          スタンダード    テレ
物体距離      ∞              ∞              ∞
Ｄ1           1.56985         9.09074         11.53549
Ｄ2           11.96776        4.44687         2.00212 
Ｄ3           9.36708         6.84144         1.50000 
Ｄ4           1.00000         3.52565         8.86708 
ワイド          スタンダード    テレ
物体距離      400             400             400 
Ｄ1           1.23960         8.59854         10.96380
Ｄ2           12.29802        4.93907         2.57381 
Ｄ3           9.36708         6.84144         1.50000 
Ｄ4           1.00000         3.52565         8.86708 
ｆ4 ／ｆ1 ＝0.22，β4T＝-1.11 ，β2T＝-0.30 
β4T／β4W＝1.99（β2T／β2W），ｆW ／ｆ1 ＝0.09，ｆW ／ｆ4 ＝0.42
ｆ4 ／ｆ3 ＝0.01，（ｒF ＋ｒR ）／（ｒF −ｒR ）＝1.86
【００４３】
実施例４
ｆ＝4.80〜8.31〜14.40 ，Ｆ／2.80〜Ｆ／3.15〜Ｆ／4.32
２ω＝70.2°〜41.6°〜24.6°
ｒ1 ＝32.2822           ｄ1 ＝3.0000    ｎ1 ＝1.51633     ν1 ＝64.15 
ｒ2 ＝1315.9478         ｄ2 ＝Ｄ1 （可変）
ｒ3 ＝31.8864           ｄ3 ＝1.0000    ｎ2 ＝1.77250     ν2 ＝49.60 
ｒ4 ＝5.6430            ｄ4 ＝3.7918
ｒ5 ＝-28.1638          ｄ5 ＝1.0000    ｎ3 ＝1.48749     ν3 ＝70.21 
ｒ6 ＝21.7561           ｄ6 ＝2.4000    ｎ4 ＝1.80518     ν4 ＝25.43 
ｒ7 ＝-200.0000(非球面）ｄ7 ＝Ｄ2 （可変）
ｒ8 ＝∞（絞り）        ｄ8 ＝1.0000
ｒ9 ＝17.1706           ｄ9 ＝1.3000    ｎ5 ＝1.51633     ν5 ＝64.15 
ｒ10＝17.8470           ｄ10＝Ｄ3 （可変）
ｒ11＝7.2818（非球面）  ｄ11＝3.7104    ｎ6 ＝1.67790     ν6 ＝55.33 
ｒ12＝-56.4418          ｄ12＝0.1319
ｒ13＝23.3804           ｄ13＝1.0000    ｎ7 ＝1.84666     ν7 ＝23.78 
ｒ14＝6.5725            ｄ14＝0.8668
ｒ15＝21.4669           ｄ15＝2.2000    ｎ8 ＝1.77250     ν8 ＝49.60 
ｒ16＝-20.1029          ｄ16＝Ｄ4 （可変）
ｒ17＝∞                ｄ17＝4.0000    ｎ9 ＝1.51633     ν9 ＝64.15 
ｒ18＝∞                ｄ18＝1.0000
ｒ19＝∞                ｄ19＝2.1000    ｎ10＝1.51633     ν10＝64.15 
ｒ20＝∞                ｄ20＝4.2200    ｎ11＝1.61700     ν11＝62.80 
ｒ21＝∞                ｄ21＝1.0000
ｒ22＝∞                ｄ22＝0.8000    ｎ12＝1.51633     ν12＝64.15 
ｒ23＝∞                ｄ23＝1.1993
ｒ24＝∞（像面）
非球面係数
（第７面）  Ｐ＝1 ，Ａ4 ＝-1.7097 ×10-4，Ａ6 ＝-2.4272 ×10-6
Ａ8 ＝-4.2782 ×10-8
（第１１面）Ｐ＝1 ，Ａ4 ＝-3.3609 ×10-4，Ａ6 ＝-9.5814 ×10-7
Ａ8 ＝-7.9857 ×10-8
ワイド          スタンダード    テレ
物体距離      ∞              ∞              ∞
Ｄ1           1.66003         9.12960         12.57108
Ｄ2           12.91317        5.44359         2.00212 
Ｄ3           7.79779         5.56715         1.50000 
Ｄ4           1.01693         3.24758         7.31473 
ワイド          スタンダード    テレ
物体距離      200             10              10
Ｄ1           0.99993         3.89538         7.53118 
Ｄ2           13.57327        10.67782        7.04201 
Ｄ3           7.79779         5.56715         1.50000 
Ｄ4           1.01693         3.24758         7.31473 
ｆ4 ／ｆ1 ＝0.18，β4T＝-0.94 ，β2T＝-0.24 
β4T／β4W＝1.88（β2T／β2W），ｆW ／ｆ1 ＝0.07，ｆW ／ｆ4 ＝0.42
ｆ4 ／ｆ3 ＝0.02，（ｒF ＋ｒR ）／（ｒF −ｒR ）＝1.78
【００４４】
実施例５
ｆ＝4.80〜8.31〜14.40 ，Ｆ／2.80〜Ｆ／3.13〜Ｆ／4.29
２ω＝70.0°〜41.6°〜24.6°
ｒ1 ＝73.7040           ｄ1 ＝2.2000    ｎ1 ＝1.60311     ν1 ＝60.70 
ｒ2 ＝-251.3948         ｄ2 ＝Ｄ1 （可変）
ｒ3 ＝31.4537           ｄ3 ＝1.0000    ｎ2 ＝1.77250     ν2 ＝49.60 
ｒ4 ＝5.9703            ｄ4 ＝2.5649
ｒ5 ＝14.8321           ｄ5 ＝1.0000    ｎ3 ＝1.48749     ν3 ＝70.21 
ｒ6 ＝8.1922            ｄ6 ＝2.8000    ｎ4 ＝1.80518     ν4 ＝25.43 
ｒ7 ＝11.8606(非球面）  ｄ7 ＝Ｄ2 （可変）
ｒ8 ＝∞（絞り）        ｄ8 ＝1.0000
ｒ9 ＝11.1830           ｄ9 ＝1.5000    ｎ5 ＝1.51633     ν5 ＝64.15 
ｒ10＝14.3638           ｄ10＝Ｄ3 （可変）
ｒ11＝6.6376（非球面）  ｄ11＝3.5452    ｎ6 ＝1.67790     ν6 ＝55.33 
ｒ12＝-53.0828          ｄ12＝0.1065
ｒ13＝15.6088           ｄ13＝1.0000    ｎ7 ＝1.84666     ν7 ＝23.78 
ｒ14＝5.6915            ｄ14＝1.1262
ｒ15＝20.2174           ｄ15＝2.2000    ｎ8 ＝1.71999     ν8 ＝50.25 
ｒ16＝-22.7437          ｄ16＝Ｄ4 （可変）
ｒ17＝∞                ｄ17＝2.1000    ｎ9 ＝1.51633     ν9 ＝64.15 
ｒ18＝∞                ｄ18＝4.2200    ｎ10＝1.61700     ν10＝62.80 
ｒ19＝∞                ｄ19＝1.0000
ｒ20＝∞                ｄ20＝0.8000    ｎ11＝1.51633     ν11＝64.15 
ｒ21＝∞                ｄ21＝2.4595
ｒ22＝∞（像面）
非球面係数
（第７面）  Ｐ＝1 ，Ａ4 ＝-2.5367 ×10-4，Ａ6 ＝-7.5684 ×10-6
Ａ8 ＝-7.1059 ×10-8
（第１１面）Ｐ＝1 ，Ａ4 ＝-5.0319 ×10-4，Ａ6 ＝1.6332×10-6
Ａ8 ＝-2.4740 ×10-7
ワイド          スタンダード    テレ
物体距離      ∞              ∞              ∞
Ｄ1           1.63036         9.60336         13.01556
Ｄ2           13.38732        5.41432         2.00212 
Ｄ3           7.99812         5.58274         1.50000 
Ｄ4           1.05392         3.46930         7.55204 
ワイド          スタンダード    テレ
物体距離      200             10              10
Ｄ1           0.99993         4.85754         8.58841 
Ｄ2           14.01775        10.16013        6.42927 
Ｄ3           7.99812         5.58274         1.50000 
Ｄ4           1.05392         3.46930         7.55204 
ｆ4 ／ｆ1 ＝0.12，β4T＝-0.88 ，β2T＝-0.14 
β4T／β4W＝2.63（β2T／β2W），ｆW ／ｆ1 ＝0.05，ｆW ／ｆ4 ＝0.44
ｆ4 ／ｆ3 ＝0.13，（ｒF ＋ｒR ）／（ｒF −ｒR ）＝2.15
【００４５】
実施例６
ｆ＝4.80〜8.31〜14.40 ，Ｆ／2.80〜Ｆ／3.18〜Ｆ／4.64
２ω＝70.0°〜41.4°〜24.6°
ｒ1 ＝25.2730           ｄ1 ＝4.0000    ｎ1 ＝1.34139     ν1 ＝93.79 
ｒ2 ＝-133.2543         ｄ2 ＝Ｄ1 （可変）
ｒ3 ＝47.8800           ｄ3 ＝1.0000    ｎ2 ＝1.77250     ν2 ＝49.60 
ｒ4 ＝5.8314            ｄ4 ＝3.6769
ｒ5 ＝-39.1283          ｄ5 ＝1.0000    ｎ3 ＝1.48749     ν3 ＝70.21 
ｒ6 ＝16.9614           ｄ6 ＝2.4000    ｎ4 ＝1.80518     ν4 ＝25.43 
ｒ7 ＝-396.4755(非球面）ｄ7 ＝Ｄ2 （可変）
ｒ8 ＝∞（絞り）        ｄ8 ＝1.0000
ｒ9 ＝-21.8233          ｄ9 ＝1.0000    ｎ5 ＝1.58423     ν5 ＝30.49 
ｒ10＝-35.4237          ｄ10＝Ｄ3 （可変）
ｒ11＝7.4903（非球面）  ｄ11＝4.1749    ｎ6 ＝1.67790     ν6 ＝55.33 
ｒ12＝-37.9091          ｄ12＝0.2660
ｒ13＝21.8535           ｄ13＝1.0000    ｎ7 ＝1.84666     ν7 ＝23.78 
ｒ14＝6.5502            ｄ14＝0.8174
ｒ15＝18.8072           ｄ15＝2.2000    ｎ8 ＝1.77250     ν8 ＝49.60 
ｒ16＝-23.5069          ｄ16＝Ｄ4 （可変）
ｒ17＝∞                ｄ17＝4.0000    ｎ9 ＝1.51633     ν9 ＝64.15 
ｒ18＝∞                ｄ18＝1.0000
ｒ19＝∞                ｄ19＝2.1000    ｎ10＝1.51633     ν10＝64.15 
ｒ20＝∞                ｄ20＝4.2200    ｎ11＝1.61700     ν11＝62.80 
ｒ21＝∞                ｄ21＝1.0000
ｒ22＝∞                ｄ22＝0.8000    ｎ12＝1.51633     ν12＝64.15 
ｒ23＝∞                ｄ23＝1.2000
ｒ24＝∞（像面）
非球面係数
（第７面）  Ｐ＝1 ，Ａ4 ＝-1.7760 ×10-4，Ａ6 ＝-3.0800 ×10-6
Ａ8 ＝1.6998×10-9
（第１１面）Ｐ＝1 ，Ａ4 ＝-3.5982 ×10-4，Ａ6 ＝-2.9379 ×10-7
Ａ8 ＝-8.1428 × 10-8 
ワイド          スタンダード    テレ
物体距離      ∞              ∞              ∞
Ｄ1           1.76145         9.00185         11.55882
Ｄ2           11.79949        4.55909         2.00212 
Ｄ3           8.01872         5.89329         1.42966 
Ｄ4           1.10574         3.23118         7.69480 
ワイド          スタンダード    テレ
物体距離      200             10              10
Ｄ1           0.99997         3.18551         5.88352 
Ｄ2           12.56097        10.37543        7.67742 
Ｄ3           8.01872         5.89329         1.42966 
Ｄ4           1.10574         3.23118         7.69480 
ｆ4 ／ｆ1 ＝0.18，β4T＝-1.09 ，β2T＝-0.26 
β4T／β4W＝1.77（β2T／β2W），ｆW ／ｆ1 ＝0.08，ｆW ／ｆ4 ＝0.43
ｆ4 ／ｆ3 ＝-0.11 ，（ｒF ＋ｒR ）／（ｒF −ｒR ）＝1.86
【００４６】
実施例７
ｆ＝4.80〜8.31〜14.40 ，Ｆ／2.80〜Ｆ／3.14〜Ｆ／4.24
２ω＝70.2°〜41.2°〜24.4°
ｒ1 ＝52.9375           ｄ1 ＝2.8000    ｎ1 ＝1.60311     ν1 ＝60.70 
ｒ2 ＝-185.1334         ｄ2 ＝Ｄ1 （可変）
ｒ3 ＝30.6812           ｄ3 ＝1.0000    ｎ2 ＝1.77250     ν2 ＝49.60 
ｒ4 ＝6.8533            ｄ4 ＝4.3009
ｒ5 ＝-16.1611          ｄ5 ＝1.0000    ｎ3 ＝1.48749     ν3 ＝70.21 
ｒ6 ＝13.6857           ｄ6 ＝2.4000    ｎ4 ＝1.80518     ν4 ＝25.43 
ｒ7 ＝57.5052           ｄ7 ＝Ｄ2 （可変）
ｒ8 ＝∞（絞り）        ｄ8 ＝1.0000
ｒ9 ＝-51.9348          ｄ9 ＝1.5000    ｎ5 ＝1.51633     ν5 ＝64.15 
ｒ10＝-26.5762（非球面）ｄ10＝Ｄ3 （可変）
ｒ11＝6.8710（非球面）  ｄ11＝3.7666    ｎ6 ＝1.67790     ν6 ＝55.33 
ｒ12＝452.4983          ｄ12＝0.1545
ｒ13＝23.8871           ｄ13＝1.0000    ｎ7 ＝1.84666     ν7 ＝23.78 
ｒ14＝6.4093            ｄ14＝0.9156
ｒ15＝24.5394           ｄ15＝2.2000    ｎ8 ＝1.71999     ν8 ＝50.25 
ｒ16＝-15.2331          ｄ16＝Ｄ4 （可変）
ｒ17＝∞                ｄ17＝4.0000    ｎ9 ＝1.51633     ν9 ＝64.15 
ｒ18＝∞                ｄ18＝1.0000
ｒ19＝∞                ｄ19＝2.1000    ｎ10＝1.51633     ν10＝64.15 
ｒ20＝∞                ｄ20＝4.2200    ｎ11＝1.61700     ν11＝62.80 
ｒ21＝∞                ｄ21＝1.0000
ｒ22＝∞                ｄ22＝0.8000    ｎ12＝1.51633     ν12＝64.15 
ｒ23＝∞                ｄ23＝1.1967
ｒ24＝∞（像面）
非球面係数
（第１０面）Ｐ＝1 ，Ａ4 ＝-1.1669 ×10-4，Ａ6 ＝4.3658×10-6
Ａ8 ＝-1.5811 ×10-7
（第１１面）Ｐ＝1 ，Ａ4 ＝-3.5478 ×10-4，Ａ6 ＝-6.4110 ×10-7
Ａ8 ＝-1.2009 × 10-7 
ワイド          スタンダード    テレ
物体距離      ∞              ∞              ∞
Ｄ1           1.53667         8.81405         12.21681
Ｄ2           12.68226        5.40488         2.00212 
Ｄ3           8.40777         5.86593         1.50000 
Ｄ4           1.00000         3.54184         7.90777 
ワイド          スタンダード    テレ
物体距離      200             10              10
Ｄ1           0.99994         4.60960         8.18806 
Ｄ2           13.21899        9.60933         6.03087 
Ｄ3           8.40777         5.86593         1.50000 
Ｄ4           1.00000         3.54184         7.90777 
ｆ4 ／ｆ1 ＝0.18，β4T＝-0.87 ，β2T＝-0.19 
β4T／β4W＝2.23（β2T／β2W），ｆW ／ｆ1 ＝0.07，ｆW ／ｆ4 ＝0.39
ｆ4 ／ｆ3 ＝0.12，（ｒF ＋ｒR ）／（ｒF −ｒR ）＝1.73
【００４７】
実施例８
ｆ＝4.80〜8.31〜14.40 ，Ｆ／2.80〜Ｆ／3.23〜Ｆ／4.61
２ω＝70.0°〜41.2°〜24.4°
ｒ1 ＝36.2992           ｄ1 ＝3.0000    ｎ1 ＝1.51633     ν1 ＝64.15 
ｒ2 ＝-157.8250         ｄ2 ＝Ｄ1 （可変）
ｒ3 ＝41.8214           ｄ3 ＝1.0000    ｎ2 ＝1.77250     ν2 ＝49.60 
ｒ4 ＝6.9783            ｄ4 ＝4.9592
ｒ5 ＝-19.6840          ｄ5 ＝1.0000    ｎ3 ＝1.48749     ν3 ＝70.21 
ｒ6 ＝11.1778           ｄ6 ＝1.8000    ｎ4 ＝1.84666     ν4 ＝23.78 
ｒ7 ＝24.5817           ｄ7 ＝Ｄ2 （可変）
ｒ8 ＝17.7652           ｄ8 ＝1.3000    ｎ5 ＝1.51633     ν5 ＝64.15 
ｒ9 ＝35.2411           ｄ9 ＝1.0000
ｒ10＝∞（絞り）        ｄ10＝Ｄ3 （可変）
ｒ11＝7.1767（非球面）  ｄ11＝3.5312    ｎ6 ＝1.67790     ν6 ＝55.33 
ｒ12＝-96.4251          ｄ12＝0
ｒ13＝22.1881           ｄ13＝1.0000    ｎ7 ＝1.84666     ν7 ＝23.78 
ｒ14＝6.6315            ｄ14＝0.9544
ｒ15＝28.0121           ｄ15＝2.2000    ｎ8 ＝1.69680     ν8 ＝55.53 
ｒ16＝-14.4998          ｄ16＝Ｄ4 （可変）
ｒ17＝∞                ｄ17＝4.0000    ｎ9 ＝1.51633     ν9 ＝64.15 
ｒ18＝∞                ｄ18＝1.0000
ｒ19＝∞                ｄ19＝2.1000    ｎ10＝1.51633     ν10＝64.15 
ｒ20＝∞                ｄ20＝4.2200    ｎ11＝1.61700     ν11＝62.80 
ｒ21＝∞                ｄ21＝1.0000
ｒ22＝∞                ｄ22＝0.8000    ｎ12＝1.51633     ν12＝64.15 
ｒ23＝∞                ｄ23＝1.1982
ｒ24＝∞（像面）
非球面係数
（第１１面）Ｐ＝1 ，Ａ4 ＝-3.6075 ×10-4，Ａ6 ＝-1.0505 ×10-6
Ａ8 ＝-6.7194 ×10-8
ワイド          スタンダード    テレ
物体距離      ∞              ∞              ∞
Ｄ1           1.43242         7.53979         10.04047
Ｄ2           10.61016        4.50280         2.00212 
Ｄ3           8.71208         6.01416         1.41509 
Ｄ4           0.90211         3.60003         8.19910 
ワイド          スタンダード    テレ
物体距離      200             10              10
Ｄ1           0.99979         4.04363         6.61705 
Ｄ2           11.04279        7.99896         5.42554 
Ｄ3           8.71208         6.01416         1.41509 
Ｄ4           0.90211         3.60003         8.19910 
ｆ4 ／ｆ1 ＝0.21，β4T＝-0.95 ，β2T＝-0.21 
β4T／β4W＝2.33（β2T／β2W），ｆW ／ｆ1 ＝0.08，ｆW ／ｆ4 ＝0.41
ｆ4 ／ｆ3 ＝0.17，（ｒF ＋ｒR ）／（ｒF −ｒR ）＝1.85
【００４８】
実施例９
ｆ＝4.80〜8.31〜14.40 ，Ｆ／2.80〜Ｆ／3.16〜Ｆ／4.27
２ω＝69.8°〜41.2°〜24.4°
ｒ1 ＝30.9414           ｄ1 ＝3.0000    ｎ1 ＝1.51633     ν1 ＝64.15 
ｒ2 ＝-405.6934         ｄ2 ＝Ｄ1 （可変）
ｒ3 ＝15.1541           ｄ3 ＝1.0000    ｎ2 ＝1.77250     ν2 ＝49.60 
ｒ4 ＝4.9491            ｄ4 ＝5.4245
ｒ5 ＝-27.8407          ｄ5 ＝1.1026    ｎ3 ＝1.72916     ν3 ＝54.68 
ｒ6 ＝15.5236           ｄ6 ＝0.3119
ｒ7 ＝9.1363            ｄ7 ＝1.8000    ｎ4 ＝1.84666     ν4 ＝23.78 
ｒ8 ＝14.9186           ｄ8 ＝Ｄ2 （可変）
ｒ9 ＝∞（絞り）        ｄ9 ＝1.0000
ｒ10＝-23.6198          ｄ10＝1.3000    ｎ5 ＝1.60311     ν5 ＝60.68 
ｒ11＝-11.1802          ｄ11＝Ｄ3 （可変）
ｒ12＝6.9398（非球面）  ｄ12＝3.4600    ｎ6 ＝1.67790     ν6 ＝55.33 
ｒ13＝60.1072           ｄ13＝0.1285
ｒ14＝19.8796           ｄ14＝1.0000    ｎ7 ＝1.84666     ν7 ＝23.78 
ｒ15＝6.3091            ｄ15＝0.8753
ｒ16＝22.7725           ｄ16＝2.2000    ｎ8 ＝1.69680     ν8 ＝55.53 
ｒ17＝-18.9361          ｄ17＝Ｄ4 （可変）
ｒ18＝∞                ｄ18＝4.0000    ｎ9 ＝1.51633     ν9 ＝64.15 
ｒ19＝∞                ｄ19＝1.0000
ｒ20＝∞                ｄ20＝2.1000    ｎ10＝1.51633     ν10＝64.15 
ｒ21＝∞                ｄ21＝4.2200    ｎ11＝1.61700     ν11＝62.80 
ｒ22＝∞                ｄ22＝1.0000
ｒ23＝∞                ｄ23＝0.8000    ｎ12＝1.51633     ν12＝64.15 
ｒ24＝∞                ｄ24＝1.2000
ｒ25＝∞（像面）
非球面係数
（第１２面）Ｐ＝1 ，Ａ4 ＝-2.2891 ×10-4，Ａ6 ＝-2.1934 ×10-6
Ａ8 ＝-7.4450 ×10-8
ワイド          スタンダード    テレ
物体距離      ∞              ∞              ∞
Ｄ1           1.29761         7.10310         9.88411 
Ｄ2           10.58862        4.78313         2.00212 
Ｄ3           9.84483         6.54027         1.50000 
Ｄ4           0.99433         4.29889         9.33916 
ワイド          スタンダード    テレ
物体距離      200             10              10
Ｄ1           1.00000         4.63093         7.46556 
Ｄ2           10.88623        7.25530         4.42067 
Ｄ3           9.84483         6.54027         1.50000 
Ｄ4           0.99433         4.29889         9.33916 
ｆ4 ／ｆ1 ＝0.25，β4T＝-0.75 ，β2T＝-0.18 
β4T／β4W＝3.75（β2T／β2W），ｆW ／ｆ1 ＝0.09，ｆW ／ｆ4 ＝0.34
ｆ4 ／ｆ3 ＝0.42，（ｒF ＋ｒR ）／（ｒF −ｒR ）＝1.93
【００４９】
実施例１０
ｆ＝4.80〜8.31〜14.40 ，Ｆ／2.80〜Ｆ／3.07〜Ｆ／4.20
２ω＝70.2°〜41.4°〜24.6°
ｒ1 ＝29.7134           ｄ1 ＝3.0000    ｎ1 ＝1.51633     ν1 ＝64.15 
ｒ2 ＝-687.1405         ｄ2 ＝Ｄ1 （可変）
ｒ3 ＝20.4521           ｄ3 ＝1.0000    ｎ2 ＝1.77250     ν2 ＝49.60 
ｒ4 ＝6.2487            ｄ4 ＝4.1029
ｒ5 ＝-12.5841          ｄ5 ＝1.0000    ｎ3 ＝1.48749     ν3 ＝70.21 
ｒ6 ＝11.4821           ｄ6 ＝1.8000    ｎ4 ＝1.84666     ν4 ＝23.78 
ｒ7 ＝24.9471           ｄ7 ＝Ｄ2 （可変）
ｒ8 ＝∞（絞り）        ｄ8 ＝1.0000
ｒ9 ＝21.6120           ｄ9 ＝1.5000    ｎ5 ＝1.51633     ν5 ＝64.15 
ｒ10＝79.6944           ｄ10＝Ｄ3 （可変）
ｒ11＝8.9316            ｄ11＝2.9722    ｎ6 ＝1.69680     ν6 ＝55.53 
ｒ12＝70.0748           ｄ12＝0.7855
ｒ13＝-30.9127          ｄ13＝1.0000    ｎ7 ＝1.84666     ν7 ＝23.78 
ｒ14＝16.6505           ｄ14＝0.5284
ｒ15＝21.2083 （非球面）ｄ15＝3.0000    ｎ8 ＝1.71300     ν8 ＝53.84 
ｒ16＝-11.0045          ｄ16＝Ｄ4 （可変）
ｒ17＝∞                ｄ17＝4.0000    ｎ9 ＝1.51633     ν9 ＝64.15 
ｒ18＝∞                ｄ18＝1.0000
ｒ19＝∞                ｄ19＝2.1000    ｎ10＝1.51633     ν10＝64.15 
ｒ20＝∞                ｄ20＝4.2200    ｎ11＝1.61700     ν11＝62.80 
ｒ21＝∞                ｄ21＝1.0000
ｒ22＝∞                ｄ22＝0.8000    ｎ12＝1.51633     ν12＝64.15 
ｒ23＝∞                ｄ23＝2.5653
ｒ24＝∞（像面）
非球面係数
（第１５面）Ｐ＝1 ，Ａ4 ＝-4.5208 ×10-4，Ａ6 ＝-1.4652 ×10-6
Ａ8 ＝-1.0836 ×10-8
ワイド          スタンダード    テレ
物体距離      ∞              ∞              ∞
Ｄ1           1.39433         7.48045         10.04622
Ｄ2           10.65401        4.56789         2.00212 
Ｄ3           9.16699         6.29425         1.50000 
Ｄ4           1.11173         3.98447         8.77872 
ワイド          スタンダード    テレ
物体距離      200             10              10
Ｄ1           0.99994         4.30192         6.91903 
Ｄ2           11.04840        7.74642         5.12931 
Ｄ3           9.16699         6.29425         1.50000 
Ｄ4           1.11173         3.98447         8.77872 
ｆ4 ／ｆ1 ＝0.23，β4T＝-0.93 ，β2T＝-0.21 
β4T／β4W＝2.38（β2T／β2W），ｆW ／ｆ1 ＝0.09，ｆW ／ｆ4 ＝0.39
ｆ4 ／ｆ3 ＝0.22，（ｒF ＋ｒR ）／（ｒF −ｒR ）＝0.30
ただしｒ1 ，ｒ2 ，・・・ は各レンズ面の曲率半径、ｄ1 ，ｄ2 ，・・・ は各レンズの肉厚およびレンズ間隔、ｎ1 ，ｎ2 ，・・・ は各レンズの屈折率、ν1 ，ν2 ，・・・ は各レンズのアッベ数である。尚焦点距離等の長さの単位はｍｍである。
【００５０】
実施例１は図１に示す通りの構成で第１群は正レンズ１枚よりなり低価格化に有利であり、第２群は負レンズと負と正を接合した接合レンズよりなり、第３群は正と負の接合レンズよりなり、第４群は正レンズと負のメニスカスレンズと正レンズの３枚のレンズよりなる。この実施例は、データーに示す通りｆ4／ｆ3＞０であり、したがって第３群は正の屈折力を有する。実際にはｆ3＝108.93である。
【００５１】
変倍時ワイド端からテレ端にかけ第２群と第４群を図示するように移動させ、第１群と第３群は固定である。又絞りは第２群と第３群の間に固定されている。
【００５２】
又フォーカシングは第２群を移動させて行なっている。その時の第１群と第２群、第２群と第３群の間隔の変化は、データー中に示す通りである。
【００５３】
この実施例では第２群の最も像側の面と第４群の最も物体側の面とに非球面を用いている。
【００５４】
実施例１の無限遠物体に対する収差状況は図１１乃至図１３又近距離までフォーカシングした時の収差状況は図１４乃至図１６に示す通りである。
【００５５】
実施例２は、第２群が負レンズと負と正の接合レズよりなり、接合レンズの負レンズが物体側に凸の負のメニスカスレンズである。その他の構成は、実施例１と実質上同じである。尚非球面も同様に第２群の最も像側の面と第４群の最も物体側の面に用いている。又ｆ3＝83.62で第３群は正の屈折力を有す。
【００５６】
この実施例２の収差状況は、図１７乃至図１９に示す通りである。
【００５７】
実施例３は第１群が負レンズと正レンズの２枚よりなり、第２群が負レンズと正レンズの２枚よりなり、第３群が正レンズ１枚よりなり、低価格化にとって有利な構成であり、又第４群が正レンズ、負レンズ、正レンズの３枚よりなる。この実施例はｆ3＝650.71で第３群は正の屈折力を有す。
【００５８】
変倍時ワイド端からテレ端へ第２群と第３群が図示するように移動し又第１群と第４群は固定である。又フォーカシングは第２群を移動させて行なっている。
【００５９】
この実施例３の収差状況は、図２０乃至図２２に示す通りである。
【００６０】
実施例４は図４に示す構成のレンズ系で、第３群が正レンズ１枚よりなる点で実施例１と異なるが他は実施例１と同様の構成である。又非球面は第２群の最も像側の面と第４群の最も物体側の面に用いている。この実施例はｆ3＝530.38で第３群は正の屈折力を有す。
【００６１】
この実施例４の収差状況は図２３乃至図２５に示す通りである。
【００６２】
実施例５は図５に示す通りのレンズ系である。この実施例は実施例４のレンズ系と同様の構成である。非球面も同じ面に用いている。この実施例はｆ3＝84.27で、第３群は正の屈折力を有する。
【００６３】
この実施例５の収差状況は、図２６乃至図２８に示す通りである。
【００６４】
実施例６は図６に示す構成で、第３群が負のメニスカスレンズで物体側に凹面を向けている点で実施例４と異なるが他は実施例４，５と同様の構成である。尚非球面は第２群の最も像側の面と第４群の最も物体側の面に用いている。この実施例はｆ3＝−100.00で第３群は負の屈折力を有す。
【００６５】
この実施例の収差状況は、図２６乃至図２８に示す通りである。
【００６６】
実施例７は、図７に示す通りで第３群が物体側に凹面を向けた正のメニスカスレンズである点を除き、実施例６と同様の様式である。非球面は第３群の最も像側の面と第４群の最も物体側の面とに用いている。この実施例はｆ3＝103.33で、第３群は正の屈折力を有す。
【００６７】
この実施例７の収差状況は図２９乃至図３１に示す通りである。
【００６８】
実施例８は、図８に示す通りの構成で、第３群が物体側に凸面を向けた正のメニスカスレンズ１枚にて構成され又絞りが第３群と第４群の間に固定されている点で実施例１や実施例５，６，７と異なっているが他はこれら実施例と同様の構成である。又非球面は第４群の最も物体側の面の１面のみである。この実施例はｆ3＝67.67で、第３群は正の屈折力を有す。
【００６９】
この実施例８の収差状況は、図２２乃至図２４に示す通りである。
【００７０】
実施例９は図９に示す通りの構成である。この実施例は、第２群がいずれも空気間隔を設けて配置された負のメニスカスレンズと負レンズと正のメニスカスレンズよりなる３枚のレンズにて構成された点で相違するが他は実施例７と同様の構成である。非球面は第４群の最も物体側の面１面のみである。この実施例はｆ3＝33.87で、第３群は正の屈折力を有す。
【００７１】
この実施例９の収差状況は図３５乃至図３７に示す通りである。
【００７２】
実施例１０は図１０に示す通りで、第４群が正レンズと負レンズ（両凹レンズ）と正レンズとよりなり、絞りが第２群と第３群の間に配置されている点で異なるが、他は実施例８と同様の構成である。非球面は第４群の像側の正レンズの物体側の面に用いている。この実施例はｆ3＝56.93で、第３群は正の屈折力を有す。
【００７３】
この実施例１０の収差状況は、図３８乃至図４０に示す通りである。
【００７４】
以上各実施例について述べたが、これらのうち実施例１，２，４〜１０は、いずれも第１群が１枚のレンズよりなり低価格化に有利な構成である。又実施例３〜１０は第３群が１枚のレンズで低価格化に有利な構成である。したがって実施例４〜１０は第１群，第３群共に１枚のレンズにて構成されている。更に実施例６は、第１群，第３群が１枚のプラスチックレンズにて構成され一層低価格であり又軽量なズームレンズになっている。
【００７５】
上記各実施例にて用いられている非球面の形状は、光軸方向をｘ、光軸に垂直な方向をｙとした時に下記の式にて表わされる。
2004163980.tif 000003
【００７６】
ただし、ｐは円錐定数、Ａ4 ，Ａ6 ，・・・は４次，６次，・・・の非球面係数である。
【００７７】
又各実施例の変倍時およびフォーカシング時におけるレンズ群の移動による間隔Ｄ1 ，Ｄ2 ，Ｄ3 ，Ｄ4 の変化はデーター中に示してある。この間隔の変化の値は、夫々無限遠物体（∞）におけるワイド端Ｗ、スタンダードＳ（中間焦点距離）、テレ端Ｔおよび有限距離の物体（例えば５００mm）にフォーカシングした時のワイド端Ｗ、スタンダードＳ、テレ端Ｔでの値をデーター中に示してある。
【００７８】
本発明のズームレンズは、特許請求の範囲の各請求項に記載したレンズ系のほか、次の各項に記載するレンズ系もその目的を達成し得るものである。
【００７９】
（１）  特許請求の範囲の請求項３に記載されているレンズ系で、下記条件（３）を満足するズームレンズ。
【００８０】
（３）    −０．６＜β2T＜０
（２）  特許請求の範囲の請求項１，２又は３に記載されているレンズ系で、絞りを第２群と第４群の間に配置し光軸上に固定したズームレンズ。
【００８１】
（３）  特許請求の範囲の請求項１，２又は３に記載されているレンズ系で、下記条件（４）を満足することを特徴とするズームレンズ。
【００８２】
（４）  １．２×（β2T／β2W）＜β4T／β4W＜５．６×（β2T／β2W）                
【００８３】
（４）  特許請求の範囲の請求項１，２又は３に記載されているレンズ系で、下記の条件（５），（６），（７）を満足することを特徴とするズームレンズ。
（５）    ０＜ｆW／ｆ1＜０．２
（６）    ０．２＜ｆW／ｆ4＜０．７
（７）    −０．２＜ｆ4／ｆ3＜０．６
【００８４】
（５）  特許請求の範囲の請求項１，２又は３に記載されているレンズ系で、前記第４群が物体側から順に、正レンズ、物体側に凸面を向けた負のメニスカスレンズ、正レンズの３枚のレンズにて構成され、最も物体側の正レンズが非球面を含み、下記の条件（８）を満足するズームレンズ。
（８）    １．１＜（ｒF＋ｒR）／（ｒF−ｒR）＜４．０
【００８５】
（６）  特許請求の範囲の請求項１，２又は３に記載されているレンズ系で、前記第４群が物体側から順に、正レンズ、両凹負レンズ、正レンズの３枚のレンズにて構成され、最も像側の正レンズが非球面を含み、下記の条件（９）を満足するズームレンズ。
（９）    −０．９＜（ｒF＋ｒR）／（ｒF−ｒR）＜０．９
【００８６】
（７）  特許請求の範囲の請求項３に記載されているレンズ系で、絞りが第２群と第４群の間に配置され光軸上に固定されており、下記条件（３）を満足するズームレンズ。
（３）    −０．６＜β2T＜０
【００８７】
（８）  前記（７）の項に記載されているレンズ系で、下記条件（４）を満足するズームレンズ。
（４）  １．２×（β2T／β2W）＜β4T／β4W＜５．６×（β2T／β2W）                
【００８８】
（９）  前記（８）の項に記載されているレンズ系で、下記条件（５），（６），（７）を満足するズームレンズ。
（５）    ０＜ｆW／ｆ1＜０．２
（６）    ０．２＜ｆW／ｆ4＜０．７
（７）    −０．２＜ｆ4／ｆ3＜０．６
【００８９】
（１０）  前記（９）の項に記載されているレンズ系で、前記第４群が物体側から順に、正レンズ、物体側に凸面を向けた負のメニスカスレンズ、正レンズの３枚のレンズにて構成され、最も物体側の正レンズが非球面を含み、下記の条件（８）を満足するズームレンズ。
（８）    １．１＜（ｒF＋ｒR）／（ｒF−ｒR）＜４．０
【００９０】
（１１）  前記（９）の項に記載されているレンズ系で、前記第４群が物体側から順に、正レンズ、物体側に凹負レンズ、正レンズの３枚のレンズにて構成され、最も物体側の正レンズが非球面を含み、下記の条件（９）を満足するズームレンズ。
（９）    −０．９＜（ｒF＋ｒR）／（ｒF−ｒR）＜０．９
【図面の簡単な説明】
【００９１】
【図１】本発明の実施例１の断面図
【図２】本発明の実施例２の断面図
【図３】本発明の実施例３の断面図
【図４】本発明の実施例４の断面図
【図５】本発明の実施例５の断面図
【図６】本発明の実施例６の断面図
【図７】本発明の実施例７の断面図
【図８】本発明の実施例８の断面図
【図９】本発明の実施例９の断面図
【図１０】本発明の実施例１０の断面図
【図１１】本発明の実施例１の無限遠物体に対するワイド端における収差曲線図
【図１２】本発明の実施例１の無限遠物体に対する中間焦点距離における収差曲線図
【図１３】本発明の実施例１の無限遠物体に対するテレ端における収差曲線図
【図１４】本発明の実施例１の近距離物体に対するワイド端における収差曲線図
【図１５】本発明の実施例１の近距離物体に対する中間焦点距離における収差曲線図
【図１６】本発明の実施例１の近距離物体に対するテレ端における収差曲線図
【図１７】本発明の実施例２の無限遠物体に対するワイド端における収差曲線図
【図１８】本発明の実施例２の無限遠物体に対する中間焦点距離における収差曲線図
【図１９】本発明の実施例２の無限遠物体に対するテレ端における収差曲線図
【図２０】本発明の実施例３の無限遠物体に対するワイド端における収差曲線図
【図２１】本発明の実施例３の無限遠物体に対する中間焦点距離における収差曲線図
【図２２】本発明の実施例３の無限遠物体に対するテレ端における収差曲線図
【図２３】本発明の実施例４の無限遠物体に対するワイド端における収差曲線図
【図２４】本発明の実施例４の無限遠物体に対する中間焦点距離における収差曲線図
【図２５】本発明の実施例４の無限遠物体に対するテレ端における収差曲線図
【図２６】本発明の実施例５の無限遠物体に対するワイド端における収差曲線図
【図２７】本発明の実施例５の無限遠物体に対する中間焦点距離における収差曲線図
【図２８】本発明の実施例５の無限遠物体に対するテレ端における収差曲線図
【図２９】本発明の実施例６の無限遠物体に対するワイド端における収差曲線図
【図３０】本発明の実施例６の無限遠物体に対する中間焦点距離における収差曲線図
【図３１】本発明の実施例６の無限遠物体に対するテレ端における収差曲線図
【図３２】本発明の実施例７の無限遠物体に対するワイド端における収差曲線図
【図３３】本発明の実施例７の無限遠物体に対する中間焦点距離における収差曲線図
【図３４】本発明の実施例７の無限遠物体に対するテレ端における収差曲線図
【図３５】本発明の実施例８の無限遠物体に対するワイド端における収差曲線図
【図３６】本発明の実施例８の無限遠物体に対する中間焦点距離における収差曲線図
【図３７】本発明の実施例８の無限遠物体に対するテレ端における収差曲線図
【図３８】本発明の実施例９の無限遠物体に対するワイド端における収差曲線図
【図３９】本発明の実施例９の無限遠物体に対する中間焦点距離における収差曲線図
【図４０】本発明の実施例９の無限遠物体に対するテレ端における収差曲線図
【図４１】本発明の実施例１０の無限遠物体に対するワイド端における収差曲線図
【図４２】本発明の実施例１０の無限遠物体に対する中間焦点距離における収差曲線図
【図４３】本発明の実施例１０の無限遠物体に対するテレ端における収差曲線図
【図１】
2004163980.tif 000004
【図２】
2004163980.tif 000005
【図３】
2004163980.tif 000006
【図４】
2004163980.tif 000007
【図５】
2004163980.tif 000008
【図６】
2004163980.tif 000009
【図７】
2004163980.tif 000010
【図８】
2004163980.tif 000011
【図９】
2004163980.tif 000012
【図１０】
2004163980.tif 000013
【図１１】
2004163980.tif 000014
【図１２】
2004163980.tif 000015
【図１３】
2004163980.tif 000016
【図１４】
2004163980.tif 000017
【図１５】
2004163980.tif 000018
【図１６】
2004163980.tif 000019
【図１７】
2004163980.tif 000020
【図１８】
2004163980.tif 000021
【図１９】
2004163980.tif 000022
【図２０】
2004163980.tif 000023
【図２１】
2004163980.tif 000024
【図２２】
2004163980.tif 000025
【図２３】
2004163980.tif 000026
【図２４】
2004163980.tif 000027
【図２５】
2004163980.tif 000028
【図２６】
2004163980.tif 000029
【図２７】
2004163980.tif 000030
【図２８】
2004163980.tif 000031
【図２９】
2004163980.tif 000032
【図３０】
2004163980.tif 000033
【図３１】
2004163980.tif 000034
【図３２】
2004163980.tif 000035
【図３３】
2004163980.tif 000036
【図３４】
2004163980.tif 000037
【図３５】
2004163980.tif 000038
【図３６】
2004163980.tif 000039
【図３７】
2004163980.tif 000040
【図３８】
2004163980.tif 000041
【図３９】
2004163980.tif 000042
【図４０】
2004163980.tif 000043
【図４１】
2004163980.tif 000044
【図４２】
2004163980.tif 000045
【図４３】
2004163980.tif 000046
【手続補正書】
【提出日】平成16年3月3日(2004.3.3)
【手続補正１】
【補正対象書類名】特許請求の範囲
【補正対象項目名】全文
【補正方法】変更
【補正の内容】
【特許請求の範囲】
【請求項１】
物体側より順に、正の屈折力を有する第１群と、負の屈折力を有する第２群と、正または負の屈折力を有する第３群と、正の屈折力を有する第４群からなり、変倍の際、第２群と第４群を移動し、第４群は広角端から望遠端にかけて物体側へ単調に移動し、かつ以下の条件（１），（２）を満足することを特徴とするズームレンズ。
（１）    ０＜ｆ4 ／ｆ1 ＜０．４５
（２）    −１．６＜β4T＜−０．５
但し、ｆ1 は第１群の焦点距離、ｆ4 は第４群の焦点距離、β4Tは第４群の望遠端での倍率である。
【請求項２】
変倍の際に前記第１群と前記第３群とが固定である請求項１のズームレンズ。
【請求項３】
前記第２群を移動してフォーカシングを行う請求項１又は２のズームレンズ。
【請求項４】
下記条件（３）を満足することを特徴とする請求項３のズームレンズ。
（３）    −０．６＜β2T＜０
但し、β2Tは第２群の望遠端での倍率である。
【請求項５】
絞りを第２群と第４群の間に配置し光軸上に固定したことを特徴とする請求項１，２又は３のズームレンズ。
【請求項６】
下記条件（４）を満足することを特徴とする請求項１，２又は３のズームレンズ。
（４）  １．２×（β2T／β2W）＜β4T／β4W＜５．６×（β2T／β2W）
但し、β2Wは第２群の広角端での倍率、β2Tは第２群の望遠端での倍率、β4Wは第４群の広角端での倍率、β4Tは第４群の望遠端での倍率である。
【請求項７】
下記の条件（５），（６），（７）を満足することを特徴とする請求項１，２又は３のズームレンズ。
（５）    ０＜ｆW／ｆ1＜０．２
（６）    ０．２＜ｆW／ｆ4＜０．７
（７）    −０．２＜ｆ4／ｆ3＜０．６
但し、ｆW は広角端での全系の焦点距離、ｆ4 は第４群の焦点距離、ｆ3 は第３群の焦点距離である。
【請求項８】
前記第４群が物体側から順に、正レンズ、物体側に凸面を向けた負のメニスカスレンズ、正レンズの３枚のレンズにて構成され、最も物体側の正レンズが非球面を含み、下記の条件（８）を満足することを特徴とする請求項１，２又は３のズームレンズ。
（８）    １．１＜（ｒF＋ｒR）／（ｒF−ｒR）＜４．０
但し、ｒF は第４群の負のメニスカスレンズの物体側の面の曲率半径、ｒR は第４群の負のメニスカスレンズの像側の面の曲率半径である。
【請求項９】
前記第４群が物体側から順に、正レンズ、両凹負レンズ、正レンズの３枚のレンズにて構成され、最も像側の正レンズが非球面を含み、下記の条件（９）を満足することを特徴とする請求項１，２又は３のズームレンズ。
（９）    −０．９＜（ｒF＋ｒR）／（ｒF−ｒR）＜０．９
但し、ｒF は第４群の負レンズの物体側の面の曲率半径、ｒR は第４群の負レンズの像側の面の曲率半径である。
【請求項１０】
絞りが第２群と第４群の間に配置され光軸上に固定されており、下記条件（３）を満足することを特徴とする請求項３のズームレンズ。
（３）    −０．６＜β2T＜０
但し、β2Tは第２群の望遠端での倍率である。
【請求項１１】
下記条件（４）を満足することを特徴とする請求項１０のズームレンズ。
（４）  １．２×（β2T／β2W）＜β4T／β4W＜５．６×（β2T／β2W）
但し、β2Wは第２群の広角端での倍率、β2Tは第２群の望遠端での倍率、β4Wは第４群の広角端での倍率、β4Tは第４群の望遠端での倍率である。
【請求項１２】
下記条件（５），（６），（７）を満足することを特徴とする請求項１１のズームレンズ。
（５）    ０＜ｆW／ｆ1＜０．２
（６）    ０．２＜ｆW／ｆ4＜０．７
（７）    −０．２＜ｆ4／ｆ3＜０．６
但し、ｆW は広角端での全系の焦点距離、ｆ4 は第４群の焦点距離、ｆ3 は第３群の焦点距離である。
【請求項１３】
前記第４群が物体側から順に、正レンズ、物体側に凸面を向けた負のメニスカスレンズ、正レンズの３枚のレンズにて構成され、最も物体側の正レンズが非球面を含み、下記の条件（８）を満足することを特徴とする請求項１２のズームレンズ。
（８）    １．１＜（ｒF＋ｒR）／（ｒF−ｒR）＜４．０
但し、ｒF は第４群の負のメニスカスレンズの物体側の面の曲率半径、ｒR は第４群の負のメニスカスレンズの像側の面の曲率半径である。
【請求項１４】
前記第４群が物体側から順に、正レンズ、両凹負レンズ、正レンズの３枚のレンズにて構成され、最も物体側の正レンズが非球面を含み、下記の条件（９）を満足することを特徴とする請求項１２のズームレンズ。
（９）    −０．９＜（ｒF＋ｒR）／（ｒF−ｒR）＜０．９
但し、ｒF は第４群の負レンズの物体側の面の曲率半径、ｒR は第４群の負レンズの像側の面の曲率半径である。
【請求項１５】
第４群以外で正の屈折力を持つ群に非球面を用い、この非球面を光軸から離れるにつれて、正の屈折力が弱くなるか、負の屈折力が強くなるような形状にしたことを特徴とする請求項１、２又は３のズームレンズ。
【請求項１６】
負の屈折力を持つ群に非球面を用い、この非球面を光軸から離れるにつれて、負の屈折力が弱くなるか、正の屈折力が強くなるような形状にしたことを特徴とする請求項１、２又は３のズームレンズ。
【請求項１７】
第１群を１枚の正レンズで構成したことを特徴とする請求項１、２又は３のズームレンズ。
【請求項１８】
第３群を１枚の単レンズで構成したことを特徴とする請求項１、２又は３のズームレンズ。
【手続補正２】
【補正対象書類名】明細書
【補正対象項目名】００３３
【補正方法】変更
【補正の内容】
【００３３】
次に、レンズの低価格化のためには、第１群を１枚の正レンズで構成するとよい。本発明のズームレンズは、広画角であるために、焦点距離が短く、さらに第１群の屈折力が比較的弱いため、第１群で発生する色収差は小さい。そのため、第１群は１枚の正レンズで構成することが可能である。同様の理由により、第３群を１枚の単レンズで構成しても良い。又、第１群あるいは第３群にプラスチックレンズを用いても良い。第１群及び第３群は屈折力が弱いため温度、湿度の変化による焦点位置の変動が小さいので、プラスチックレンズを用いるのに有利である。
【手続補正３】
【補正対象書類名】明細書
【補正対象項目名】００５５
【補正方法】変更
【補正の内容】
【００５５】
実施例２は、図２に示す通りの構成で、第２群が負レンズと負と正の接合レズよりなり、接合レンズの負レンズが物体側に凸の負のメニスカスレンズである。その他の構成は、実施例１と実質上同じである。尚非球面も同様に第２群の最も像側の面と第４群の最も物体側の面に用いている。又ｆ3＝83.62で第３群は正の屈折力を有す。
【手続補正４】
【補正対象書類名】明細書
【補正対象項目名】００５７
【補正方法】変更
【補正の内容】
【００５７】
実施例３は、図３に示す通りの構成で、第１群が負レンズと正レンズの２枚よりなり、第２群が負レンズと正レンズの２枚よりなり、第３群が正レンズ１枚よりなり、低価格化にとって有利な構成であり、又第４群が正レンズ、負レンズ、正レンズの３枚よりなる。この実施例はｆ3＝650.71で第３群は正の屈折力を有す。
【手続補正５】
【補正対象書類名】明細書
【補正対象項目名】００５８
【補正方法】変更
【補正の内容】
【００５８】
変倍時ワイド端からテレ端へ第２群と第４群が図示するように移動し又第１群と第３群は固定である。又フォーカシングは第２群を移動させて行なっている。
【手続補正６】
【補正対象書類名】明細書
【補正対象項目名】００６５
【補正方法】変更
【補正の内容】
【００６５】
この実施例の収差状況は、図２９乃至図３１に示す通りである。
【手続補正７】
【補正対象書類名】明細書
【補正対象項目名】００６７
【補正方法】変更
【補正の内容】
【００６７】
この実施例７の収差状況は図３２乃至図３４に示す通りである。
【手続補正８】
【補正対象書類名】明細書
【補正対象項目名】００６９
【補正方法】変更
【補正の内容】
【００６９】
この実施例８の収差状況は、図３５乃至図３７に示す通りである。
【手続補正９】
【補正対象書類名】明細書
【補正対象項目名】００７１
【補正方法】変更
【補正の内容】
【００７１】
この実施例９の収差状況は図３８乃至図４０に示す通りである。
【手続補正１０】
【補正対象書類名】明細書
【補正対象項目名】００７３
【補正方法】変更
【補正の内容】
【００７３】
この実施例１０の収差状況は、図４１乃至図４３に示す通りである。